【手続補正書】
【提出日】平成30年6月25日(2018.6.25)
【手続補正１】
【補正対象書類名】明細書
【補正対象項目名】００７６
【補正方法】変更
【補正の内容】
【００７６】
図１４は、歯牙摩耗を図示するためのユーザインターフェイス７２の図である。ユーザインターフェイス７２は、例えば、表示装置１６上に、表示することができ、経時的な領域７４上の摩耗を示すデジタルの歯の断面を含む。歯の断面は、セグメント化された歯の三次元モデルから生成することができる。領域７４上の摩耗に基づく体積及び高さの変化は、計算することができる。特定の歯で失われた体積はまた、歯の高さ又は体積の変化のグラフ、又は経時的な歯の変化を示すアニメーションなどの他の方法でも図示することができる。
以下、本発明の態様について説明する。
〔態様１〕
第１の時刻に取得された第１の歯のデジタル三次元モデル、及び前記第１の時刻より後の第２の時刻に取得された第２の歯のデジタル三次元モデルを受け入れるステップと、
前記第１の歯のデジタル三次元モデル内の個別の歯を分離して、セグメント化された第１の歯のデジタル三次元モデルを生成するために、前記第１の歯のデジタル三次元モデルをセグメント化するステップと、
前記第２の歯のデジタル三次元モデル内の個別の歯を分離して、セグメント化された第２の歯のデジタル三次元モデルを生成するために、前記第２の歯のデジタル三次元モデルに対して、前記セグメント化するステップを繰り返すステップと、
前記セグメント化された第１の歯のデジタル三次元モデルと前記セグメント化された第２の歯のデジタル三次元モデルとの間の、同じ歯に関する差を判定することにより歯牙摩耗を検出するために、前記セグメント化された第１の歯のデジタル三次元モデルを、前記セグメント化された第２の歯のデジタル三次元モデルと比較するステップと、を含む、歯牙摩耗を検出するための方法。
〔態様２〕
前記セグメント化された第１の歯のデジタル三次元モデル内の歯を、前記歯の第１のセグメント化されたモデルを前記歯の第２のセグメント化されたモデルと位置合わせするために、前記セグメント化された第２の歯のデジタル三次元モデル内の前記歯に重ね合わせることを更に含む、態様１に記載の方法。
〔態様３〕
第１の時刻に取得された第１の歯のデジタル三次元モデル、及び前記第１の時刻より後の第２の時刻に取得された第２の歯のデジタル三次元モデルを受け入れるステップと、
前記第１の歯のデジタル三次元モデル内の個別の歯を分離して、セグメント化された第１の歯のデジタル三次元モデルを生成するために、前記第１の歯のデジタル三次元モデルをセグメント化するステップであって、
前記第１の歯のデジタル三次元モデルに対して第１のセグメント化方法を実行することと、
前記第１の歯のデジタル三次元モデルに対して、前記第１のセグメント化方法とは異なる第２のセグメント化方法を実行することと、を含むステップと、
前記第２の歯のデジタル三次元モデル内の個別の歯を分離して、セグメント化された第２の歯のデジタル三次元モデルを生成するために、前記第２の歯のデジタル三次元モデルに対して、前記セグメント化するステップを繰り返すステップと、
前記セグメント化された第１の歯のデジタル三次元モデルと前記セグメント化された第２の歯のデジタル三次元モデルとの間の、同じ歯に関する差を判定することにより歯牙摩耗を検出するために、前記セグメント化された第１の歯のデジタル三次元モデルを、前記セグメント化された第２の歯のデジタル三次元モデルと比較するステップと、を含む、歯牙摩耗を検出するための方法。
〔態様４〕
前記セグメント化するステップが、
前記第１の歯のデジタル三次元モデル内の前記歯の少なくとも一部をオーバーセグメンテーションする、前記第１のセグメント化方法を実行することと、
前記第１の歯のデジタル三次元モデル内の点を、前記第１の歯のデジタル三次元モデル内の歯の内側上又は歯同士の間の境界上のいずれかにあるとして分類する、前記第２のセグメント化方法を実行することと、
前記セグメント化された第１の歯のデジタル三次元モデルを生成するために、前記第１及び第２のセグメント化方法の結果を組み合わせることと、を含む、態様３に記載の方法。
〔態様５〕
前記セグメント化するステップが、
前記第１の歯のデジタル三次元モデル内の前記歯の少なくとも一部をオーバーセグメンテーションする、前記第１のセグメント化方法を実行することと、
前記第１の歯のデジタル三次元モデル内のそれぞれの歯の対の間の隙間空間を近似する、前記第２のセグメント化方法を実行することと、
前記セグメント化された第１の歯のデジタル三次元モデルを生成するために、前記第１及び第２のセグメント化方法の結果を組み合わせることと、を含む、態様３に記載の方法。
〔態様６〕
前記セグメント化するステップが、
前記第１の歯のデジタル三次元モデル内の前記歯の少なくとも一部をオーバーセグメンテーションする、前記第１のセグメント化方法を実行することと、
ユーザが入力した前記第１の歯のデジタル三次元モデル内の歯の重心の推定を受け入れる、前記第２のセグメント化方法を実行することと、
前記セグメント化された第１の歯のデジタル三次元モデルを生成するために、前記第１及び第２のセグメント化方法の結果を組み合わせることと、を含む、態様３に記載の方法。
〔態様７〕
前記セグメント化された第１の歯のデジタル三次元モデル内の歯を、前記歯の第１のセグメント化されたモデルを前記歯の第２のセグメント化されたモデルと位置合わせするために、前記セグメント化された第２の歯のデジタル三次元モデル内の前記歯に重ね合わせることを更に含む、態様３に記載の方法。
〔態様８〕
前記比較するステップが、前記セグメント化された第１の歯のデジタル三次元モデル内の前記歯と前記セグメント化された第２の歯のデジタル三次元モデル内の前記歯との間の、距離の測定値を判定することを含む、態様７に記載の方法。
〔態様９〕
前記組み合わせるステップが、前記第１及び第２のセグメント化方法の前記結果を繰り返し組み合わせることを含む、態様４に記載の方法。
〔態様１０〕
前記組み合わせるステップが、前記セグメント化された第１の歯のデジタル三次元モデル内の整列していない境界を検出することと、前記整列していない境界を除去することと、を更に含む、態様３に記載の方法。
〔態様１１〕
前記セグメント化するステップが、ユーザ入力に基づいて、前記セグメント化された第１の歯のデジタル三次元モデルを改良することを更に含む、態様３に記載の方法。
〔態様１２〕
前記比較するステップが、摩耗領域の視覚的兆候を有する前記歯の１つ以上のデジタル三次元モデルを表示することを含む、態様３に記載の方法。
〔態様１３〕
第１の時刻に取得された第１の歯のデジタル三次元モデル、及び前記第１の時刻より後の第２の時刻に取得された第２の歯のデジタル三次元モデルを受け入れるモジュールと、
前記第１の歯のデジタル三次元モデル内の個別の歯を分離して、セグメント化された第１の歯のデジタル三次元モデルを生成するために、前記第１の歯のデジタル三次元モデルをセグメント化するモジュールと、
前記第２の歯のデジタル三次元モデル内の個別の歯を分離して、セグメント化された第２の歯のデジタル三次元モデルを生成するために、前記第２の歯のデジタル三次元モデルに対して、前記セグメント化することを繰り返すモジュールと、
前記セグメント化された第１の歯のデジタル三次元モデルと前記セグメント化された第２の歯のデジタル三次元モデルとの間の、同じ歯に関する差を判定することにより歯牙摩耗を検出するために、前記セグメント化された第１の歯のデジタル三次元モデルを、前記セグメント化された第２の歯のデジタル三次元モデルと比較するモジュールと、を含む、
歯牙摩耗を検出するためのシステム。
〔態様１４〕
前記セグメント化された第１の歯のデジタル三次元モデル内の歯を、前記歯の第１のセグメント化されたモデルを前記歯の第２のセグメント化されたモデルと位置合わせするために、前記セグメント化された第２の歯のデジタル三次元モデル内の前記歯に重ね合わせるモジュールを更に含む、態様１３に記載のシステム。
〔態様１５〕
第１の時刻に取得された第１の歯のデジタル三次元モデル、及び前記第１の時刻より後の第２の時刻に取得された第２の歯のデジタル三次元モデルを受け入れるモジュールと、
前記第１の歯のデジタル三次元モデル内の個別の歯を分離して、セグメント化された第１の歯のデジタル三次元モデルを生成するために、前記第１の歯のデジタル三次元モデルをセグメント化するモジュールであって、
前記第１の歯のデジタル三次元モデルに対して第１のセグメント化方法を実行するモジュールと、
前記第１の歯のデジタル三次元モデルに対して、前記第１のセグメント化方法とは異なる第２のセグメント化方法を実行するモジュールと、を含むモジュールと、
前記第２の歯のデジタル三次元モデル内の個別の歯を分離して、セグメント化された第２の歯のデジタル三次元モデルを生成するために、前記第２の歯のデジタル三次元モデルに対して、前記セグメント化することを繰り返すモジュールと、
前記セグメント化された第１の歯のデジタル三次元モデルと前記セグメント化された第２の歯のデジタル三次元モデルとの間の、同じ歯に関する差を判定することにより歯牙摩耗を検出するために、前記セグメント化された第１の歯のデジタル三次元モデルを、前記セグメント化された第２の歯のデジタル三次元モデルと比較するモジュールと、を含む、
歯牙摩耗を検出するためのシステム。
〔態様１６〕
前記セグメント化するモジュールが、
前記第１の歯のデジタル三次元モデル内の前記歯の少なくとも一部をオーバーセグメンテーションする、前記第１のセグメント化方法を実行するモジュールと、
前記第１の歯のデジタル三次元モデル内の点を、前記第１の歯のデジタル三次元モデル内の歯の内側上又は歯の間の境界上のいずれかにあるとして分類する、前記第２のセグメント化方法を実行するモジュールと、
前記セグメント化された第１の歯のデジタル三次元モデルを生成するために、前記第１及び前記第２のセグメント化方法の結果を組み合わせるモジュールと、を含む、態様１５に記載のシステム。
〔態様１７〕
前記セグメント化するモジュールが、
前記第１の歯のデジタル三次元モデル内の前記歯の少なくとも一部をオーバーセグメンテーションする、前記第１のセグメント化方法を実行するモジュールと、
前記第１の歯のデジタル三次元モデル内のそれぞれの歯の対の間の隙間空間を近似する、前記第２のセグメント化方法を実行するモジュールと、
前記セグメント化された第１の歯のデジタル三次元モデルを生成するために、前記第１及び前記第２のセグメント化方法の結果を組み合わせるモジュールと、を含む、態様１５に記載のシステム。
〔態様１８〕
前記セグメント化するモジュールが、
前記第１の歯のデジタル三次元モデル内の前記歯の少なくとも一部をオーバーセグメンテーションする、前記第１のセグメント化方法を実行するモジュールと、
ユーザが入力した前記第１の歯のデジタル三次元モデル内の歯の重心の推定を受け入れる、前記第２のセグメント化方法を実行するモジュールと、
前記セグメント化された第１の歯のデジタル三次元モデルを生成するために、前記第１及び前記第２のセグメント化方法の結果を組み合わせるモジュールと、を含む、態様１５に記載のシステム。
〔態様１９〕
前記セグメント化された第１の歯のデジタル三次元モデル内の歯を、前記歯の第１のセグメント化されたモデルを前記歯の第２のセグメント化されたモデルと位置合わせするために、前記セグメント化された第２の歯のデジタル三次元モデル内の前記歯に重ね合わせるモジュールを更に含む、態様１５に記載のシステム。
〔態様２０〕
前記比較するモジュールが、前記セグメント化された第１の歯のデジタル三次元モデル内の前記歯と前記セグメント化された第２の歯のデジタル三次元モデル内の前記歯との間の、距離の測定値を判定するモジュールを含む、態様１９に記載のシステム。
〔態様２１〕
前記組み合わせるモジュールが、前記第１及び第２のセグメント化方法の前記結果を繰り返し組み合わせるモジュールを含む、態様１６に記載のシステム。
〔態様２２〕
前記組み合わせるモジュールが、前記セグメント化された第１の歯のデジタル三次元モデル内の整列していない境界を検出し、前記整列していない境界を除去するモジュールを更に含む、態様１５に記載のシステム。
〔態様２３〕
前記セグメント化するモジュールが、ユーザ入力に基づいて、前記セグメント化された第１の歯のデジタル三次元モデルを改良するモジュールを更に含む、態様１５に記載のシステム。
〔態様２４〕
前記比較するモジュールが、摩耗領域の視覚的兆候を有する前記歯の１つ以上のデジタル三次元モデルを表示するモジュールを含む、態様１５に記載のシステム。
【手続補正２】
【補正対象書類名】特許請求の範囲
【補正対象項目名】全文
【補正方法】変更
【補正の内容】
【特許請求の範囲】
【請求項１】
第１の時刻に取得された第１の歯のデジタル三次元モデル、及び前記第１の時刻より後の第２の時刻に取得された第２の歯のデジタル三次元モデルを受け入れるステップと、
前記第１の歯のデジタル三次元モデル内の個別の歯を分離して、セグメント化された第１の歯のデジタル三次元モデルを生成するために、前記第１の歯のデジタル三次元モデルをセグメント化するステップであって、
前記第１の歯のデジタル三次元モデルに対して第１のセグメント化方法を実行することと、
前記第１の歯のデジタル三次元モデルに対して、前記第１のセグメント化方法とは異なる第２のセグメント化方法を実行することと、を含むステップと、
前記第２の歯のデジタル三次元モデル内の個別の歯を分離して、セグメント化された第２の歯のデジタル三次元モデルを生成するために、前記第２の歯のデジタル三次元モデルに対して、前記セグメント化するステップを繰り返すステップと、
前記セグメント化された第１の歯のデジタル三次元モデルと前記セグメント化された第２の歯のデジタル三次元モデルとの間の、同じ歯に関する差を判定することにより歯牙摩耗を検出するために、前記セグメント化された第１の歯のデジタル三次元モデルを、前記セグメント化された第２の歯のデジタル三次元モデルと比較するステップと、を含む、歯牙摩耗を検出するための方法。
【請求項２】
前記セグメント化するステップが、
前記第１の歯のデジタル三次元モデル内の前記歯の少なくとも一部をオーバーセグメンテーションする、前記第１のセグメント化方法を実行することと、
前記第１の歯のデジタル三次元モデル内の点を、前記第１の歯のデジタル三次元モデル内の歯の内側上又は歯同士の間の境界上のいずれかにあるとして分類する、前記第２のセグメント化方法を実行することと、
前記セグメント化された第１の歯のデジタル三次元モデルを生成するために、前記第１及び第２のセグメント化方法の結果を組み合わせることと、を含む、請求項１に記載の方法。
【請求項３】
前記セグメント化するステップが、
前記第１の歯のデジタル三次元モデル内の前記歯の少なくとも一部をオーバーセグメンテーションする、前記第１のセグメント化方法を実行することと、
前記第１の歯のデジタル三次元モデル内のそれぞれの歯の対の間の隙間空間を近似する、前記第２のセグメント化方法を実行することと、
前記セグメント化された第１の歯のデジタル三次元モデルを生成するために、前記第１及び第２のセグメント化方法の結果を組み合わせることと、を含む、請求項１に記載の方法。
【請求項４】
前記セグメント化するステップが、
前記第１の歯のデジタル三次元モデル内の前記歯の少なくとも一部をオーバーセグメンテーションする、前記第１のセグメント化方法を実行することと、
ユーザが入力した前記第１の歯のデジタル三次元モデル内の歯の重心の推定を受け入れる、前記第２のセグメント化方法を実行することと、
前記セグメント化された第１の歯のデジタル三次元モデルを生成するために、前記第１及び第２のセグメント化方法の結果を組み合わせることと、を含む、請求項１に記載の方法。
【請求項５】
第１の時刻に取得された第１の歯のデジタル三次元モデル、及び前記第１の時刻より後の第２の時刻に取得された第２の歯のデジタル三次元モデルを受け入れるモジュールと、
前記第１の歯のデジタル三次元モデル内の個別の歯を分離して、セグメント化された第１の歯のデジタル三次元モデルを生成するために、前記第１の歯のデジタル三次元モデルをセグメント化するモジュールであって、
前記第１の歯のデジタル三次元モデルに対して第１のセグメント化方法を実行するモジュールと、
前記第１の歯のデジタル三次元モデルに対して、前記第１のセグメント化方法とは異なる第２のセグメント化方法を実行するモジュールと、を含むモジュールと、
前記第２の歯のデジタル三次元モデル内の個別の歯を分離して、セグメント化された第２の歯のデジタル三次元モデルを生成するために、前記第２の歯のデジタル三次元モデルに対して、前記セグメント化することを繰り返すモジュールと、
前記セグメント化された第１の歯のデジタル三次元モデルと前記セグメント化された第２の歯のデジタル三次元モデルとの間の、同じ歯に関する差を判定することにより歯牙摩耗を検出するために、前記セグメント化された第１の歯のデジタル三次元モデルを、前記セグメント化された第２の歯のデジタル三次元モデルと比較するモジュールと、を含む、
歯牙摩耗を検出するためのシステム。
【請求項６】
前記セグメント化するモジュールが、
前記第１の歯のデジタル三次元モデル内の前記歯の少なくとも一部をオーバーセグメンテーションする、前記第１のセグメント化方法を実行するモジュールと、
前記第１の歯のデジタル三次元モデル内の点を、前記第１の歯のデジタル三次元モデル内の歯の内側上又は歯の間の境界上のいずれかにあるとして分類する、前記第２のセグメント化方法を実行するモジュールと、
前記セグメント化された第１の歯のデジタル三次元モデルを生成するために、前記第１及び前記第２のセグメント化方法の結果を組み合わせるモジュールと、を含む、請求項５に記載のシステム。
【請求項７】
前記セグメント化するモジュールが、
前記第１の歯のデジタル三次元モデル内の前記歯の少なくとも一部をオーバーセグメンテーションする、前記第１のセグメント化方法を実行するモジュールと、
前記第１の歯のデジタル三次元モデル内のそれぞれの歯の対の間の隙間空間を近似する、前記第２のセグメント化方法を実行するモジュールと、
前記セグメント化された第１の歯のデジタル三次元モデルを生成するために、前記第１及び前記第２のセグメント化方法の結果を組み合わせるモジュールと、を含む、請求項５に記載のシステム。
【請求項８】
前記セグメント化するモジュールが、
前記第１の歯のデジタル三次元モデル内の前記歯の少なくとも一部をオーバーセグメンテーションする、前記第１のセグメント化方法を実行するモジュールと、
ユーザが入力した前記第１の歯のデジタル三次元モデル内の歯の重心の推定を受け入れる、前記第２のセグメント化方法を実行するモジュールと、
前記セグメント化された第１の歯のデジタル三次元モデルを生成するために、前記第１及び前記第２のセグメント化方法の結果を組み合わせるモジュールと、を含む、請求項５に記載のシステム。